Podtech/llm-jp-corpus-v4-ja_patent huggingface dataset:
【手続補正書】
【提出日】令和1年10月4日(2019.10.4)
【手続補正１】
【補正対象書類名】特許請求の範囲
【補正対象項目名】全文
【補正方法】変更
【補正の内容】
【特許請求の範囲】
【請求項１】
薬品を収容している容器に注射器によって輸液が注入された後、前記容器がロボットのアームの保持部によって保持されている状態で前記容器を振る第１ステップと、
前記第１ステップの後、前記ロボットが前記容器を撹拌装置にセットする第２ステップと、
を含む混注方法。
【請求項２】
複数の容器がセットされた状態で前記撹拌装置を動作させる第３ステップを含む、
請求項１に記載の混注方法。
【請求項３】
保持部を備えたロボットアームと、
前記ロボットアームを制御する制御部と、
を備え、
前記制御部は、
薬品を収容している容器に注射器によって輸液が注入された後、前記容器が前記保持部によって保持されている状態で前記ロボットアームにより前記容器を振る第１ステップと、
前記第１ステップの後、前記ロボットアームにより前記容器を撹拌装置にセットする第２ステップと、
を実行する、混注装置。
【請求項４】
薬品を収容している容器に注射器によって輸液が注入された後、前記容器がロボットのアームに備えられた保持部によって保持されている状態で前記容器を振る第１ステップと、
前記第１ステップの後、前記ロボットが前記容器を撹拌装置にセットする第２ステップと、
をコンピュータに実行させるための混注制御プログラム。
【手続補正書】
【提出日】令和1年9月23日(2019.9.23)
【手続補正１】
【補正対象書類名】特許請求の範囲
【補正対象項目名】全文
【補正方法】変更
【補正の内容】
【特許請求の範囲】
【請求項１】
始動条件の成立に基づき、当りに関する抽選を実行する抽選手段と、
前記抽選手段による抽選結果が当りである場合、当り遊技に制御する当り遊技制御手段と、
所定の表示パターンデータに基づいて表示制御可能に構成され、遊技実績に基づいて算出される所定情報を表示可能な情報表示手段と、
前記情報表示手段に関する制御を行う情報表示制御手段と、
前記情報表示手段に表示可能な複数種類の表示パターンデータが格納されたデータテーブルと、を備え、
電源遮断時にその直前の遊技情報を保持するバックアップ処理を実行可能であり、
電源投入時に、前記バックアップ処理により保持された前記遊技情報に基づいて遊技を開始することが可能な遊技機であって、
前記情報表示制御手段は、
電源投入後、確認表示を所定時間、前記情報表示手段に表示させる確認表示処理と、前記確認表示を所定時間実行した後、前記所定情報を前記情報表示手段に表示させる所定情報表示処理とを実行可能であり、
前記確認表示中に電源が遮断した場合、次の電源投入時には前記確認表示を前記所定時間、改めて実行するように構成され、
前記所定情報表示処理では前記所定情報に対応する表示パターンデータを用いて前記情報表示手段を表示制御し、前記確認表示処理では前記確認表示に対応する表示パターンデータを用いて前記情報表示手段を表示制御し、
前記所定情報表示処理と前記確認表示処理とのうち、前記所定情報表示処理の場合にのみ、前記データテーブルから前記表示パターンデータを取得するように構成された、
ことを特徴する遊技機。
【手続補正２】
【補正対象書類名】明細書
【補正対象項目名】０００４
【補正方法】変更
【補正の内容】
【０００４】
そこで、出玉性能等が容易に把握できるように、遊技実績に基づく性能に関する情報（たとえば、ベース値等）を表示する性能表示装置を遊技機に設けることが必要となる。しかし遊技機のプログラム容量や遊技に関する制御等は法的に厳しく制限されているため、上記の性能表示装置を設けた場合に、その動作チェックを含む遊技処理が複雑化することなく、遊技機の制御負担を軽減することが重要である。
【手続補正書】
【提出日】平成31年3月7日(2019.3.7)
【手続補正１】
【補正対象書類名】明細書
【補正対象項目名】発明の名称
【補正方法】変更
【補正の内容】
【発明の名称】半導体装置、表示装置、表示モジュール、及び電子機器
【手続補正２】
【補正対象書類名】特許請求の範囲
【補正対象項目名】全文
【補正方法】変更
【補正の内容】
【特許請求の範囲】
【請求項１】
トランジスタを有する半導体装置であって、
前記トランジスタは、
第１のゲート電極と、
前記第１のゲート電極上の第１の絶縁膜と、
前記第１の絶縁膜上の第１の酸化物半導体膜と、
前記第１の酸化物半導体膜に電気的に接続されるソース電極と、
前記第１の酸化物半導体膜に電気的に接続されるドレイン電極と、
前記第１の酸化物半導体膜上の第２の絶縁膜と、
前記第２の絶縁膜上の第２の酸化物半導体膜と、
前記第２の酸化物半導体膜上の第３の絶縁膜と、を有し、
前記第２の酸化物半導体膜は、第２のゲート電極として機能し、
前記第２の絶縁膜は、第１の領域と、前記第１の領域上の第２の領域と、を有し、
前記第２の領域は、前記第１の領域よりも酸素濃度が高い半導体装置。
【請求項２】
請求項１において、
前記第３の絶縁膜は、窒素または水素を有する半導体装置。
【請求項３】
請求項１または請求項２において、
前記第１の酸化物半導体膜は、Ｉｎと、Ｍ（ＭはＡｌ、Ｇａ、Ｙ、またはＳｎである）と、Ｚｎと、を有する半導体装置。
【請求項４】
請求項１乃至請求項３のいずれか一において、
前記第２の酸化物半導体膜は、Ｉｎと、Ｍ（ＭはＡｌ、Ｇａ、Ｙ、またはＳｎである）と、を有する半導体装置。
【請求項５】
請求項１乃至請求項４のいずれか一において、
前記第１の酸化物半導体膜は、結晶部を有し、
前記結晶部は、ｃ軸配向性を有する半導体装置。
【請求項６】
請求項１乃至請求項５のいずれか一において、
前記第１のゲート電極は、前記第２のゲート電極に電気的に接続される半導体装置。
【請求項７】
請求項１乃至請求項６のいずれか一に記載の半導体装置と、表示素子と、を有する表示装置。
【請求項８】
請求項７に記載の表示装置と、タッチセンサと、を有する表示モジュール。
【請求項９】
請求項１乃至請求項６のいずれか一に記載の半導体装置、請求項７に記載の表示装置、または請求項８に記載の表示モジュールと、操作キーまたはバッテリと、を有する電子機器。
【手続補正書】
【提出日】平成30年11月20日(2018.11.20)
【手続補正１】
【補正対象書類名】明細書
【補正対象項目名】発明の名称
【補正方法】変更
【補正の内容】
【発明の名称】半導体装置
【手続補正２】
【補正対象書類名】特許請求の範囲
【補正対象項目名】全文
【補正方法】変更
【補正の内容】
【特許請求の範囲】
【請求項１】
トランジスタを有する半導体装置であって、
前記トランジスタは、
第１の電極と、
前記第１の電極上の第１の絶縁膜と、
前記第１の絶縁膜上の酸化物半導体膜と、
前記酸化物半導体膜上の第２の絶縁膜と、
前記第２の絶縁膜上の第２の電極と、を有し、
前記酸化物半導体膜は、第１の酸化物半導体膜と、第２の酸化物半導体膜と、を有し、
前記第１の酸化物半導体膜の伝導帯下端のエネルギーと、前記第２の酸化物半導体膜の伝導帯下端のエネルギーと、の差が０．２ｅＶ以上であり、
前記トランジスタは、ドレイン電圧１Ｖ当たりにおける単位チャネル幅当たりのドレイン電流の変化率が２％以下となる電気特性を示す領域を有する、
ことを特徴とする半導体装置。
【請求項２】
トランジスタを有する半導体装置であって、
前記トランジスタは、
第１の電極と、
前記第１の電極上の第１の絶縁膜と、
前記第１の絶縁膜上の酸化物半導体膜と、
前記酸化物半導体膜上の第２の絶縁膜と、
前記第２の絶縁膜上の第２の電極と、を有し、
前記酸化物半導体膜は、第１の酸化物半導体膜と、第２の酸化物半導体膜と、を有し、
前記第１の酸化物半導体膜の伝導帯下端のエネルギーと、前記第２の酸化物半導体膜の伝導帯下端のエネルギーと、の差が０．２ｅＶ以上であり、
前記トランジスタは、ドレイン電圧１Ｖ当たりにおける単位チャネル幅当たりのドレイン電流の変化量が１×１０−９Ａ／μｍ以下となる電気特性を示す領域を有する、
ことを特徴とする半導体装置。
【請求項３】
トランジスタを有する半導体装置であって、
前記トランジスタは、
第１の電極と、
前記第１の電極上の第１の絶縁膜と、
前記第１の絶縁膜上の酸化物半導体膜と、
前記酸化物半導体膜上の第２の絶縁膜と、
前記第２の絶縁膜上の第２の電極と、を有し、
前記酸化物半導体膜は、第１の酸化物半導体膜と、第２の酸化物半導体膜と、を有し、
前記第１の酸化物半導体膜は、Ｉｎと、Ｚｎと、Ｍ（Ｍは、Ｔｉ、Ｇａ、Ｙ、Ｚｒ、Ｓｎ、Ｌａ、Ｃｅ、Ｎｄ、またはＨｆを表す）と、を有し、
前記第１の酸化物半導体膜は、前記Ｉｎの含有量が、前記Ｍの含有量以上である領域を有し、
前記第１の酸化物半導体膜と、前記第２の酸化物半導体膜とは、同一の元素を少なくとも一つ有し、
前記第１の酸化物半導体膜の伝導帯下端のエネルギーと、前記第２の酸化物半導体膜の伝導帯下端のエネルギーと、の差が０．２ｅＶ以上であり、
前記トランジスタは、ドレイン電圧１Ｖ当たりにおける単位チャネル幅当たりのドレイン電流の変化率が２％以下となる電気特性を示す領域を有する、
ことを特徴とする半導体装置。
【請求項４】
トランジスタを有する半導体装置であって、
前記トランジスタは、
第１の電極と、
前記第１の電極上の第１の絶縁膜と、
前記第１の絶縁膜上の酸化物半導体膜と、
前記酸化物半導体膜上の第２の絶縁膜と、
前記第２の絶縁膜上の第２の電極と、を有し、
前記酸化物半導体膜は、第１の酸化物半導体膜と、第２の酸化物半導体膜と、を有し、
前記第１の酸化物半導体膜は、Ｉｎと、Ｚｎと、Ｍ（Ｍは、Ｔｉ、Ｇａ、Ｙ、Ｚｒ、Ｓｎ、Ｌａ、Ｃｅ、Ｎｄ、またはＨｆを表す）と、を有し、
前記第１の酸化物半導体膜は、前記Ｉｎの含有量が、前記Ｍの含有量以上である領域を有し、
前記第１の酸化物半導体膜と、前記第２の酸化物半導体膜とは、同一の元素を少なくとも一つ有し、
前記第１の酸化物半導体膜の伝導帯下端のエネルギーと、前記第２の酸化物半導体膜の伝導帯下端のエネルギーと、の差が０．２ｅＶ以上であり、
前記トランジスタは、ドレイン電圧１Ｖ当たりにおける単位チャネル幅当たりのドレイン電流の変化量が１×１０−９Ａ／μｍ以下となる電気特性を示す領域を有する、
ことを特徴とする半導体装置。
【請求項５】
請求項１乃至請求項４のいずれか一項において、
前記第２の酸化物半導体膜は、Ｉｎと、Ｚｎと、Ｍ（Ｍは、Ｔｉ、Ｇａ、Ｙ、Ｚｒ、Ｓｎ、Ｌａ、Ｃｅ、Ｎｄ、またはＨｆを表す）と、を有し、
前記第２の酸化物半導体膜は、前記Ｍの含有量が、前記Ｉｎの含有量以上である領域を有する、
ことを特徴とする半導体装置。
【手続補正書】
【提出日】令和1年6月26日(2019.6.26)
【手続補正１】
【補正対象書類名】明細書
【補正対象項目名】０００２
【補正方法】変更
【補正の内容】
【０００２】再生可能エネルギーの主たる蓄エネルギー（蓄電）方法として、蓄電専用大容量蓄電池への蓄電（特許文献１）、あるいは水素ガス等他エネルギー媒体への変換（特許文献２、特許文献３）がある。
【手続補正２】
【補正対象書類名】明細書
【補正対象項目名】０００４
【補正方法】変更
【補正の内容】
【０００４】従来の再生可能エネルギーの蓄積方法では、エネルギー蓄積のための専用装置（蓄電用大容量二次電池等）が必要となること、あるいは再生可能エネルギーを他形態のエネルギー蓄積媒体（水素等）に変換することによる、再生可能エネルギーの利用効率の低下、コストアップ等の問題がある。
【手続補正３】
【補正対象書類名】明細書
【補正対象項目名】０００５
【補正方法】変更
【補正の内容】
【０００５】本願発明は、再生可能エネルギーの利用目的としてバッテリー交換式ＥＶ（ＥＶ用の電力補給を、ＥＶに搭載されているバッテリーへの直接充電ではなく、あらかじめ満充電されている交換用バッテリーと交換・搭載することによって行うＥＶ）用の交換バッテリーへの充電を想定し、再生可能エネルギーの蓄積手段として、ＥＶ用交換バッテリーを利用することによって、再生可能エネルギーの利用効率を上げるとともに、ＥＶ（電気自動車）のバッテリー充電電力を、通常の化石燃料を使用した発電電力ではなく、再生可能エネルギーによる発電電力とすることで、ＥＶとしての総合（WELL TO WHEEL）エネルギー効率および排出ガス（CO2）削減効果の向上を図ろうとするものである。
【手続補正４】
【補正対象書類名】明細書
【補正対象項目名】００１０
【補正方法】変更
【補正の内容】
【００１０】この結果、太陽光発電等の再生可能エネルギーによる発電電力の一時蓄積のための専用蓄電装置あるいは蓄電用媒体は不要となると同時に、再生可能エネルギーによって発電された電力をバッテリー交換式ＥＶ用電力として直接効率よく利用することが可能となる。
【手続補正５】
【補正対象書類名】明細書
【補正対象項目名】００１２
【補正方法】変更
【補正の内容】
【００１２】本願発明によって、再生可能エネルギーの具体的かつ有効な用途として、バッテリー交換式ＥＶが特定・明確化されると同時に、再生可能エネルギーの蓄エネルギー方法として、その使用ターゲットであるバッテリー交換式ＥＶ用交換バッテリーに直接蓄電できることから、再生可能エネルギー利用効率の向上および交換バッテリーを搭載するEVのWELL  TO WHEELの総合エネルギー効率向上・排出ガス（CO2）削減にもつなげることができる。
【手続補正書】
【提出日】令和1年7月30日(2019.7.30)
【手続補正１】
【補正対象書類名】特許請求の範囲
【補正対象項目名】全文
【補正方法】変更
【補正の内容】
【特許請求の範囲】
【請求項１】
表面シートと、裏面シートと、両シート間に配置された吸収性コアを具備し、且つ着用者の前後方向に対応する縦方向とこれに直交する横方向とを有する吸収性物品が折り畳まれた状態で包装されている吸収性物品の包装体であって、
前記吸収性物品は、該吸収性物品の横方向に延びる折曲部に沿って、該表面シートを内側にして折り畳まれており、
前記吸収性コアは、合成繊維を含む複数のシート片と、親水性繊維とを含み、該シート片が該吸収性コアの厚み方向における少なくとも前記表面シート側に配されており、
前記吸収性コアは、厚み方向において、前記表面シート側に前記シート片及び前記親水性繊維の混合された第１層と、前記裏面シート側に該第１層よりも該シート片の存在密度が小さい第２層とを有している、吸収性物品の包装体。
【請求項２】
前記第２層には、前記シート片が存在しない、請求項１に記載の吸収性物品の包装体。
【請求項３】
前記吸収性コアは、前記表面シート側から前記裏面シート側に向かって窪んだ凹部を有している、請求項１又は２に記載の吸収性物品の包装体。
【請求項４】
前記凹部は、前記表面シートと前記吸収性コアとが一体的に窪んで形成されている、請求項３に記載の吸収性物品の包装体。
【請求項５】
表面シートと、裏面シートと、両シート間に配置された吸収性コアを具備し、且つ着用者の前後方向に対応する縦方向とこれに直交する横方向とを有する吸収性物品が折り畳まれた状態で包装されている吸収性物品の包装体の製造方法であって、
帯状の親水性シートを解繊して親水性繊維を得る解繊工程を含み、
合成繊維を含む複数のシート片及び前記親水性繊維を集積して前記吸収性コアを形成するコア形成工程と、
前記吸収性コアと、搬送される帯状の前記表面シートとを重ね合わせて吸収性物品の連続体を形成した後、該吸収性物品の連続体を裁断して吸収性物品を形成する物品形成工程と、
前記吸収性物品を、該吸収性物品の横方向に延びる折曲部を形成するように該表面シートを内側にして該吸収性物品を折り曲げる折り畳み工程とを備え、
前記折り畳み工程では、前記吸収性コアにおける前記シート片が存在する部位にて折り曲げて前記折曲部を形成し、
前記コア形成工程において、前記シート片及び前記親水性繊維の混合された第１層と、該第１層よりも前記シート片の存在密度が小さい第２層とを含む前記吸収性コアを形成し、
前記物品形成工程においては、前記表面シート側に、前記吸収性コアにおける前記第１層が配置されるように、前記表面シートと前記吸収性コアとを重ね合せる、吸収性物品の包装体の製造方法。
【請求項６】
前記物品形成工程において形成された前記吸収性物品を、搬送される帯状の包装材に間欠的に貼り付け、
前記折り畳み工程においては、前記吸収性物品を前記包装材とともに折り曲げる、請求項５に記載の吸収性物品の包装体の製造方法。
【手続補正書】
【提出日】令和1年7月16日(2019.7.16)
【手続補正１】
【補正対象書類名】特許請求の範囲
【補正対象項目名】全文
【補正方法】変更
【補正の内容】
【特許請求の範囲】
【請求項１】
遊技者にとって有利な有利状態に制御可能な遊技機であって、
遊技に関する説明を行う説明演出を実行可能な説明演出実行手段と、
前記有利状態に制御されることを示唆する示唆演出を実行可能な示唆演出実行手段と、
特定演出を実行可能な特定演出実行手段と、を備え、
前記示唆演出実行手段は、実行中の前記説明演出を中止して、前記示唆演出を実行可能
であり、
前記説明演出実行手段は、前記特定演出に関する説明を行う、前記説明演出を実行可能であることを特徴とする遊技機。
【手続補正２】
【補正対象書類名】明細書
【補正対象項目名】０００６
【補正方法】変更
【補正の内容】
【０００６】
（手段Ａ）遊技者にとって有利な有利状態に制御可能な遊技機であって、遊技に関する説明を行う説明演出を実行可能な説明演出実行手段と、前記有利状態に制御されることを示唆する示唆演出を実行可能な示唆演出実行手段と、特定演出を実行可能な特定演出実行手段と、を備え、前記示唆演出実行手段は、実行中の前記説明演出を中止して、前記示唆演出を実行可能であり、前記説明演出実行手段は、前記特定演出に関する説明を行う、前記説明演出を実行可能であることを特徴とする。
さらに、（１）本発明の一態様による遊技機は、遊技者にとって有利な有利状態（例えば、大当り状態等）に制御可能な遊技機（例えば、パチンコ遊技機１等）であって、遊技に関する説明を行う説明演出（例えば、キャラクタ出現予告演出の説明を行う説明演出Ａおよびカットイン予告説明の説明を行う説明演出Ｂ等）を実行可能な説明演出実行手（例えば、演出制御用ＣＰＵ１２０等）段と、有利状態に制御されることを示唆する示唆演出（例えば、ＳＰリーチ演出等）を実行可能な示唆演出実行手段（例えば、演出制御用ＣＰＵ１２０等）と、を備え、前記示唆演出実行手段は、実行中の前記説明演出を中止して、前記示唆演出を実行可能である（例えば、説明演出に中止ブロックを設け、説明演出を中止してリーチ演出およびＳＰリーチ演出を実行可能である等）。
【手続補正書】
【提出日】令和1年10月16日(2019.10.16)
【手続補正１】
【補正対象書類名】特許請求の範囲
【補正対象項目名】全文
【補正方法】変更
【補正の内容】
【特許請求の範囲】
【請求項１】
内視鏡装置において、
内視鏡画像の画像化装置と、
前記内視鏡画像の表示装置と、
内視鏡画像の内視鏡画像における特徴量に関する画像情報データを解析・検出する画像処理装置と、
前記内視鏡画像上に目標を指定する手段と、
前記内視鏡画像上に目標の移動ベクトルを入力する手段と、
前記内視鏡画像上の目標の実際の移動ベクトルを計測する手段と、
前記内視鏡画像上に入力された移動ベクトルと、内視鏡画像上の前記計測された実際の目標の移動ベクトルとを比較し、両者の差異がゼロに近づくように湾曲操作の調整量を推定する手段と、
推定された前記調整量に基づいて湾曲操作の調整を行なう手段と
を具備したことを特徴とする内視鏡装置。
【請求項２】
前記内視鏡の先端に治療用デバイスを具備し、その作用点の移動を、内視鏡画像上に指定した被作用点の移動ベクトルの入力により行うことを特徴とする請求項１記載の内視鏡装置。
【請求項３】
前記湾曲操作の調整を行なう手段は、内視鏡先端部に設けた湾曲機構であることを特徴とする請求項１または２に記載される内視鏡装置。
【請求項４】
前記内視鏡画像上の目標の指定および移動ベクトルの入力手段は、タッチパネル、およびまたは、ジョイスティック、およびまたは、トラックボールであることを特徴とする請求項１から３のいずれか１つに記載の内視鏡装置。
【請求項５】
前記内視鏡画像上の目標の移動ベクトルを計測する手段は、ブロックマッチング法、または、代表点マッチング法、または、オプティカルフロー法であることを特徴とする請求項１から４のうちいずれか１つに記載の内視鏡装置。
【請求項６】
内視鏡装置において、
前記内視鏡画像上に目標を指定するステップと、
前記内視鏡画像上に目標の移動ベクトルを入力するステップと、
前記入力した移動ベクトルに従い内視鏡先端の位置を制御するステップと、
前記内視鏡画像上の目標の移動ベクトルを計測するステップと、
前記入力された移動ベクトルと、前記計測された移動ベクトルとを比較するステップと、
両者の差異がゼロに近づくよう湾曲操作の調整量を推定するステップと、
推定された前記調整量に基づいて湾曲操作の調整を行うステップと、
を実行することを特徴とする請求項１から３のいずれか１つに記載される内視鏡装置。
【手続補正２】
【補正対象書類名】明細書
【補正対象項目名】００１５
【補正方法】変更
【補正の内容】
【００１５】
第１発明の内視鏡装置は、
内視鏡装置において、
内視鏡画像の画像化装置と、
前記内視鏡画像の表示装置と、
内視鏡画像の内視鏡画像における特徴量に関する画像情報データを解析・検出する画像処理装置と、
前記内視鏡画像上に目標を指定する手段と、
前記内視鏡画像上に目標の移動ベクトルを入力する手段と、
前記内視鏡画像上の目標の実際の移動ベクトルを計測する手段と、
前記内視鏡画像上に入力された移動ベクトルと、内視鏡画像上の前記計測された実際の目標の移動ベクトルとを比較し、両者の差異がゼロに近づくように湾曲操作の調整量を推定する手段と、
推定された前記調整量に基づいて湾曲操作の調整を行なう手段と
を具備したことを特徴とする。
【手続補正３】
【補正対象書類名】明細書
【補正対象項目名】００１６
【補正方法】削除
【補正の内容】
【手続補正４】
【補正対象書類名】明細書
【補正対象項目名】００１７
【補正方法】変更
【補正の内容】
【００１７】
第２発明の内視鏡装置は、第１発明において、
前記内視鏡の先端に治療用デバイスを具備し、その作用点の移動を、内視鏡画像上に指定した被作用点の移動ベクトルの入力により行うことを特徴とする。
【手続補正５】
【補正対象書類名】明細書
【補正対象項目名】００１８
【補正方法】変更
【補正の内容】
【００１８】
第３発明の内視鏡装置は、第１または第２発明において、
前記湾曲操作の調整を行なう手段は、内視鏡先端部に設けた湾曲機構であることを特徴とする。
【手続補正６】
【補正対象書類名】明細書
【補正対象項目名】００１９
【補正方法】変更
【補正の内容】
【００１９】
第４発明の内視鏡装置は、第１〜第３発明のいずれかにおいて、
前記内視鏡画像上の目標の指定および移動ベクトルの入力手段は、タッチパネル、およびまたは、ジョイスティック、およびまたは、トラックボールであることを特徴とする。
【手続補正７】
【補正対象書類名】明細書
【補正対象項目名】００２０
【補正方法】変更
【補正の内容】
【００２０】
第５発明の内視鏡装置は、第１〜第４発明のいずれかにおいて、
前記内視鏡画像上の目標の移動ベクトルを計測する手段は、ブロックマッチング法、または、代表点マッチング法、または、オプティカルフロー法であることを特徴とする。
【手続補正８】
【補正対象書類名】明細書
【補正対象項目名】００２１
【補正方法】変更
【補正の内容】
【００２１】
第６発明の内視鏡装置は、
内視鏡装置において、
前記内視鏡画像上に目標を指定するステップと、
前記内視鏡画像上に目標の移動ベクトルを入力するステップと、
前記入力した移動ベクトルに従い内視鏡先端の位置を制御するステップと、
前記内視鏡画像上の目標の移動ベクトルを計測するステップと、
前記入力された移動ベクトルと、前記計測された移動ベクトルとを比較するステップと、
両者の差異がゼロに近づくよう湾曲操作の調整量を推定するステップと、
推定された前記調整量に基づいて湾曲操作の調整を行うステップと、
を実行することを特徴とする。
【手続補正書】
【提出日】令和1年10月16日(2019.10.16)
【手続補正１】
【補正対象書類名】特許請求の範囲
【補正対象項目名】全文
【補正方法】変更
【補正の内容】
【特許請求の範囲】
【請求項１】
内視鏡装置において、
内視鏡画像の画像化装置と、
前記内視鏡画像の内視鏡画像における特徴量に関する画像情報データを解析・検出する画像処理装置と、
内視鏡の湾曲状態、挿入部の回転、挿入長のいずれか一つ以上からなる挿入状態データを検出する機能と、
前記特徴量に関する画像情報データおよび前記挿入状態データに応じて、身体の管腔への内視鏡の挿入操作における操作量に関する手順を少なくとも２つ以上を、同時または並行して画像または音声で提示するナビゲーション機能と
を具備することを特徴とする内視鏡ナビゲーション装置。
【請求項２】
内視鏡装置において、
前記画像情報データおよび前記挿入状態データに応じて、内視鏡が通過する管腔の部位毎に、湾曲操作および挿入部の回転および進退の操作のタイミングや操作量に関する手順を予めデータ化したナビゲーションプログラムと
を具備して、
前記ナビゲーション機能として、実際に内視鏡が通過する管腔の部位毎に前記画像情報データおよび前記挿入状態データに応じて前記ナビゲーションプログラムを参照し、身体の管腔への内視鏡の挿入操作における操作量に関する手順を少なくとも２つ以上を同時または連続して画像または音声で挿入手順を伝えることを特徴とする請求項１に記載の内視鏡ナビゲーション装置。
【請求項３】
内視鏡装置において、
前記挿入手順をナビゲーションデータとして記録する機能と、
前記ナビゲーションデータを元に内視鏡操作を行った内容を操作データとして記録する機能と、
内視鏡操作を行った結果を計測・評価する効果判定結果データを算出する機能と、
前記画像情報データ、前記挿入状態データ、前記ナビゲーションデータ、前記操作データおよび前記効果判定結果データを、それぞれ関連付けてデータベースに蓄積する機能と、
前記データベースに蓄積されたデータ間との関係を機械学習する機能と、
前記機械学習による結果を利用して、前記ナビゲーションプログラムを変更する機能と
を備えたことを特徴とする請求項２に記載の内視鏡ナビゲーション装置。 
【請求項４】
内視鏡装置において、
内視鏡の挿入状態を検出するステップと、
内視鏡が通過する管腔の部位毎に、湾曲操作および挿入部の回転および進退の操作のタイミングや操作量に関する手順を予めデータ化したナビゲーションプログラムを参照するステップと、
前記ナビゲーションプログラムを参照し、身体の管腔への内視鏡の挿入操作における操作量に関する手順を少なくとも２つ以上を同時または連続して画像または音声で提示するステップと
を実行することを特徴とする内視鏡ナビゲーション装置。
【手続補正２】
【補正対象書類名】明細書
【補正対象項目名】０００９
【補正方法】変更
【補正の内容】
【０００９】
第１発明の内視鏡ナビゲーション装置は、
内視鏡装置において、
内視鏡画像の画像化装置と、
前記内視鏡画像の内視鏡画像における特徴量に関する画像情報データを解析・検出する画像処理装置と、
内視鏡の湾曲状態、挿入部の回転、挿入長のいずれか一つ以上からなる挿入状態データを検出する機能と、
前記特徴量に関する画像情報データおよび前記挿入状態データに応じて、身体の管腔への内視鏡の挿入操作における操作量に関する手順を少なくとも２つ以上を、同時または並行して画像または音声で提示するナビゲーション機能と
を具備することを特徴とする。
【手続補正３】
【補正対象書類名】明細書
【補正対象項目名】００１０
【補正方法】変更
【補正の内容】
【００１０】
第２発明の内視鏡ナビゲーション装置は、第１発明において、
内視鏡装置において、
前記画像情報データおよび前記挿入状態データに応じて、内視鏡が通過する管腔の部位毎に、湾曲操作および挿入部の回転および進退の操作のタイミングや操作量に関する手順を予めデータ化したナビゲーションプログラムと
を具備して、
前記ナビゲーション機能として、実際に内視鏡が通過する管腔の部位毎に前記画像情報データおよび前記挿入状態データに応じて前記ナビゲーションプログラムを参照し、身体の管腔への内視鏡の挿入操作における操作量に関する手順を少なくとも２つ以上を同時または連続して画像または音声で挿入手順を伝えることを特徴とする。
【手続補正４】
【補正対象書類名】明細書
【補正対象項目名】００１１
【補正方法】変更
【補正の内容】
【００１１】
第３発明の内視鏡ナビゲーション装置は、第２発明において、
内視鏡装置において、
前記挿入手順をナビゲーションデータとして記録する機能と、
前記ナビゲーションデータを元に内視鏡操作を行った内容を操作データとして記録する機能と、
内視鏡操作を行った結果を計測・評価する効果判定結果データを算出する機能と、
前記画像情報データ、前記挿入状態データ、前記ナビゲーションデータ、前記操作データおよび前記効果判定結果データを、それぞれ関連付けてデータベースに蓄積する機能と、
前記データベースに蓄積されたデータ間との関係を機械学習する機能と、
前記機械学習による結果を利用して、前記ナビゲーションプログラムを変更する機能と
を備えたことを特徴とする。
【手続補正５】
【補正対象書類名】明細書
【補正対象項目名】００１２
【補正方法】変更
【補正の内容】
【００１２】
第４発明の内視鏡ナビゲーション装置は、
内視鏡装置において、
内視鏡の挿入状態を検出するステップと、
内視鏡が通過する管腔の部位毎に、湾曲操作および挿入部の回転および進退の操作のタイミングや操作量に関する手順を予めデータ化したナビゲーションプログラムを参照するステップと、
前記ナビゲーションプログラムを参照し、身体の管腔への内視鏡の挿入操作における操作量に関する手順を少なくとも２つ以上を同時または連続して画像または音声で提示するステップと
を実行することを特徴とする。
【手続補正書】
【提出日】令和1年7月1日(2019.7.1)
【手続補正１】
【補正対象書類名】特許請求の範囲
【補正対象項目名】全文
【補正方法】変更
【補正の内容】
【特許請求の範囲】
【請求項１】
表面側に配置される表面シートと、
裏面側に配置される裏面シートと、
前記表面シートと前記裏面シートとの間に設けられた吸収体と、を有し、
少なくとも前記吸収体に、前記表面側から前記裏面側へ凹む表面凹部と、前記裏面側から前記表面側に凹む裏面凹部と、を有し、
前記表面凹部の表面底部の少なくとも一部は、前記裏面凹部の裏面底部と厚み方向における同じ位置又は前記裏面底部よりも前記裏面側に位置する、ペット用吸収性シート。
【請求項２】
前記表面底部は、前記裏面底部よりも前記裏面側に位置し、
前記表面凹部及び前記裏面凹部は、前記吸収体が圧縮されたエンボス部によって形成されている、請求項１に記載のペット用吸収性シート。
【請求項３】
前記ペット用吸収性シートの平面視にて、前記表面凹部と前記厚み方向において重なる第１領域と、前記表面凹部と前記厚み方向において重ならない第２領域と、を有し、
前記第１領域における前記吸収体の少なくとも一部は、前記第２領域における前記吸収体よりも前記裏面側に突出している、請求項１又は２に記載のペット用吸収性シート。
【請求項４】
前記表面底部は、前記第２領域における前記吸収体の前記裏面側の面よりも前記裏面側に位置する、請求項３に記載のペット用吸収性シート。
【請求項５】
前記表面凹部は、連続的又は断続的なラインを構成しており、
前記表面凹部による前記ラインの幅は、前記表面凹部間に位置する前記第２領域の幅よりも長い、請求項３又は請求項４に記載のペット用吸収性シート。
【請求項６】
前記ペット用吸収性シートの平面視にて、前記裏面凹部と前記厚み方向において重なる第３領域と、前記裏面凹部と前記厚み方向において重ならない第４領域と、を有し、
前記第３領域における前記吸収体の少なくとも一部は、前記第４領域における前記吸収体よりも前記表面側に突出している、請求項１から５のいずれか１項に記載のペット用吸収性シート。
【請求項７】
前記裏面底部は、前記第４領域における前記吸収体の前記表面側の面よりも前記表面側に位置する、請求項６に記載のペット用吸収性シート。
【請求項８】
前記裏面凹部は、連続的又は断続的なラインを構成しており、
前記裏面凹部による前記ラインの幅は、前記裏面凹部間に位置する前記第４領域の幅よりも長い、請求項６又は請求項７に記載のペット用吸収性シート。
【請求項９】
前記ラインは、分岐しない曲部を有する、請求項５又は８に記載のペット用吸収性シート。
【請求項１０】
前記ラインは、互いに分離した複数の図形を形成している、請求項５、８及び９のいずれか１項に記載のペット用吸収性シート。
【手続補正書】
【提出日】令和1年5月27日(2019.5.27)
【手続補正１】
【補正対象書類名】特許請求の範囲
【補正対象項目名】全文
【補正方法】変更
【補正の内容】
【特許請求の範囲】
【請求項１】
リアルタイムでオーディオ信号のコンテンツ型に対応する複数のメタデータを識別する段階と；
複数の識別されたダイナミックレンジ効果に基づいて動的な仕方でボリューム平準化器を調整する段階とを含み、前記仕方は、前記オーディオ信号に関連する特定のコンテンツ型を示す一つまたは複数のフラグの存在に基づく信頼値の増大または減少とともに前記ボリューム平準化器の動的な利得をそれぞれ増大または減少させ、一つまたは複数の異なるダイナミックレンジ・プロファイルを使って前記信頼値の減少または増大とともに前記ボリューム平準化器の動的な利得をそれぞれ増大または減少させることによって構成設定可能であり、
前記オーディオ信号は、最適なダイナミックレンジのための再生構成を表わす複数のコンテンツに分類される、
ダイナミックレンジ制御方法。
【請求項２】
前記コンテンツ型が発話、短期的音楽、ノイズおよび／または背景音を含む、請求項１記載のダイナミックレンジ制御方法。
【請求項３】
特定のコンテキスト内でダイアログをより目立たせる効果をもつダイアログ向上が適用される、請求項１記載のダイナミックレンジ制御方法。
【請求項４】
トーン・バランスに関して一つまたは複数の再生レベルに対する効果をもつようラウドネス等化が適用される、請求項１記載のダイナミックレンジ制御方法。
【請求項５】
前記動的な利得のパラメータにパラメータ平滑化が適用される、ダイナミックレンジ制御方法。
【請求項６】
請求項１ないし５のうちいずれか一項記載のダイナミックレンジ制御方法をプロセッサに実行させるためのコンピュータ・プログラム命令が記録されているコンピュータ可読媒体。
【手続補正書】
【提出日】令和1年6月19日(2019.6.19)
【手続補正１】
【補正対象書類名】特許請求の範囲
【補正対象項目名】全文
【補正方法】変更
【補正の内容】
【特許請求の範囲】
【請求項１】
識別情報を変動表示させる変動表示ゲームの表示結果が特別結果となった場合に遊技者に遊技価値を付与する特別遊技状態を発生可能な制御手段を備える遊技機において、
遊技領域に設けられ、遊技球が入賞可能な入賞領域と、
遊技球が前記入賞領域に入賞すると、前記入賞領域ごとに定められた賞球数の賞球を払い出し可能な払出制御手段と、
遊技条件に関する設定値を確認可能な設定確認手段と、
前記設定値と、前記入賞により得られた賞球数に基づいて導出される性能情報と、を表示可能な状態表示装置と、
前記変動表示ゲームに関連する演出を表示可能な表示装置と、
前記表示装置における前記演出の表示を制御可能な演出制御手段と、を備え、
前記制御手段は、前記設定値が確認可能な設定確認状態から前記設定値が確認不能な遊技可能状態となったことに対応して、前記状態表示装置に前記性能情報を表示可能であるとともに、前記演出制御手段に対して遊技可能状態となったことを通知するコマンドを送信することを特徴とする遊技機。
【手続補正２】
【補正対象書類名】明細書
【補正対象項目名】０００４
【補正方法】変更
【補正の内容】
【０００４】
しかしながら、従来の遊技機において、設定確認状態から設定値が確認不能な遊技可能状態に切り替えた際に、遊技場管理者の作業効率を向上させることができなかった。
【手続補正３】
【補正対象書類名】明細書
【補正対象項目名】０００５
【補正方法】変更
【補正の内容】
【０００５】
本発明は、設定確認状態から設定値が確認不能な遊技可能状態に切り替えた際に、遊技場管理者の作業効率を向上させることを目的とする。
【手続補正４】
【補正対象書類名】明細書
【補正対象項目名】０００６
【補正方法】変更
【補正の内容】
【０００６】
本発明の代表的な一形態では、識別情報を変動表示させる変動表示ゲームの表示結果が特別結果となった場合に遊技者に遊技価値を付与する特別遊技状態を発生可能な制御手段を備える遊技機において、遊技領域に設けられ、遊技球が入賞可能な入賞領域と、遊技球が前記入賞領域に入賞すると、前記入賞領域ごとに定められた賞球数の賞球を払い出し可能な払出制御手段と、遊技条件に関する設定値を確認可能な設定確認手段と、前記設定値と、前記入賞により得られた賞球数に基づいて導出される性能情報と、を表示可能な状態表示装置と、前記変動表示ゲームに関連する演出を表示可能な表示装置と、前記表示装置における前記演出の表示を制御可能な演出制御手段と、を備え、前記制御手段は、前記設定値が確認可能な設定確認状態から前記設定値が確認不能な遊技可能状態となったことに対応して、前記状態表示装置に前記性能情報を表示可能であるとともに、前記演出制御手段に対して遊技可能状態となったことを通知するコマンドを送信する。
【手続補正５】
【補正対象書類名】明細書
【補正対象項目名】０００７
【補正方法】変更
【補正の内容】
【０００７】
本発明の一形態によれば、設定確認状態から設定値が確認不能な遊技可能状態に切り替えた際に、遊技場管理者の作業効率を向上させることができる。
【手続補正書】
【提出日】平成31年2月27日(2019.2.27)
【手続補正１】
【補正対象書類名】特許請求の範囲
【補正対象項目名】全文
【補正方法】変更
【補正の内容】
【特許請求の範囲】
【請求項１】
（ａ）感活性光線又は感放射線性組成物を用いてレジスト膜を形成する工程と、
（ｂ）前記膜を露光する工程と、
（ｃ）処理液を用いて前記露光された膜を処理する工程と
を含んだパターン形成方法であって、
前記処理液は、標準沸点が１７２℃以上である有機溶剤を３０質量％以上含むパターン形成方法。
【請求項２】
前記有機溶剤の標準沸点が１７５℃以上である請求項１に記載のパターン形成方法。
【請求項３】
前記工程（ｃ）は、前記処理液を用いて前記露光された膜を現像する工程を含む請求項１または２に記載のパターン形成方法。
【請求項４】
前記工程（ｃ）は、前記露光された膜を現像する工程と、前記現像された膜をリンスする工程とを含み、前記現像する工程及び前記リンスする工程の少なくとも一方において、前記処理液が用いられる請求項１または２に記載のパターン形成方法。
【請求項５】
前記処理液は、更にエステル系溶剤を含む、請求項１から４のいずれか一項に記載のパターン形成方法。
【請求項６】
前記エステル系溶剤が、酢酸ブチル、酢酸アミル、酢酸イソアミル、酢酸２−メチルブチル、酢酸１−メチルブチル、酢酸ヘキシル、プロピオン酸ペンチル、プロピオン酸ヘキシル、プロピオン酸ヘプチル、イソブタン酸ブチル、及びブタン酸ブチルから選ばれる少なくとも1種を含む請求項５に記載のパターン形成方法。
【請求項７】
前記処理液は、更にケトン系溶剤を含む、請求項１から４のいずれか一項に記載のパターン形成方法。
【請求項８】
前記ケトン系溶剤が、メチルイソアミルケトン、シクロヘキサン、シクロペンタノン、メチルエチルケトン、及び２‐ヘプタノンから選ばれる少なくとも1種を含む請求項７に記載のパターン形成方法。
【請求項９】
前記処理液は、更に、酢酸２−メチルブチル、酢酸アミル、酢酸ブチル、酢酸１−メチルブチル、２−ヘプタノン、エチル−３−エトキシプロピオネート、酢酸イソアミル、シクロヘキサノン、酢酸ヘキシル、プロピオン酸ペンチル、４−メチル−２−ペンタノール、プロピレングリコールモノメチルエーテルアセテート、及びプロピレングリコールモノメチルエーテルからなる群から選ばれる１種以上の溶剤を含む、請求項１から４のいずれか一項に記載のパターン形成方法。
【請求項１０】
前記工程（ｃ）は、前記露光された膜を現像する工程と、前記現像された膜をリンスする工程とを含み、前記リンスする工程において前記処理液が用いられる、請求項９に記載のパターン形成方法。
【請求項１１】
前記標準沸点が１７２℃以上である有機溶剤が、プロピレンカーボネート、エチレングリコール、デカン、又はウンデカンである、請求項１から４のいずれか一項に記載のパターン形成方法。
【請求項１２】
前記処理液が、前記露光された膜を現像するための現像液として用いられる、請求項１１に記載のパターン形成方法。
【請求項１３】
前記組成物は、酸の作用により分解して極性基を生じる基を備えた樹脂と、活性光線又は放射線の照射により酸を発生する化合物とを含む請求項１から１２のいずれか１項に記載のパターン形成方法。
【請求項１４】
前記工程（ｂ）はＫｒＦ又はＡｒＦエキシマレーザーを用いて行われる請求項１から１３のいずれか１項に記載のパターン形成方法。
【請求項１５】
前記工程（ｂ）はＥＵＶ光を用いて行われる請求項１から１３のいずれか１項に記載のパターン形成方法。
【請求項１６】
（ｄ）前記処理液を用いて処理された膜を加熱する工程を更に含んだ請求項１から１５のいずれか１項に記載のパターン形成方法。
【請求項１７】
前記処理液が、沸点が３００℃以上の有機不純物を前記処理液全質量に対して０．００１〜３０質量ｐｐｍ含む請求項１から１６のいずれか１項に記載のパターン形成方法。
【請求項１８】
前記処理液の含水率が５００ｐｐｍ以下である、請求項１から１７のいずれか１項に記載のパターン形成方法。
【請求項１９】
請求項１から１８のいずれか１項に記載のパターン形成方法に用いられる処理液であって、
標準沸点が１７２℃以上である有機溶剤を３０質量％以上含む処理液。
【請求項２０】
露光された膜を現像するために用いられる請求項１９に記載の処理液。
【請求項２１】
現像された膜をリンスするために用いられる請求項１９に記載の処理液。
【請求項２２】
前記処理液が、沸点が３００℃以上の有機不純物を前記処理液全質量に対して０．００１〜３０質量ｐｐｍ含む請求項１９から２１のいずれか一項に記載の処理液。
【請求項２３】
前記処理液がＦｅ、Ｃｒ、Ｎｉ及びＰｂからなる群から選ばれる元素を含有し、各元素の含有量が、前記処理液全質量に対して０．００１〜１００質量ｐｐｔである請求項１９から２２のいずれか１項に記載の処理液。
【請求項２４】
蒸留及びろ過工程を経て生成される請求項１９から２３のいずれか一項に記載の処理液。
【手続補正書】
【提出日】平成31年2月27日(2019.2.27)
【手続補正１】
【補正対象書類名】特許請求の範囲
【補正対象項目名】全文
【補正方法】変更
【補正の内容】
【特許請求の範囲】
【請求項１】
（ａ）感活性光線又は感放射線性組成物を用いてレジスト膜を形成する工程と、
（ｂ）前記膜を露光する工程と、
（ｃ）処理液を用いて前記露光された膜を処理する工程と
を含んだパターン形成方法であって、
前記処理液は、ＳＰ値１６．３ＭＰａ１/２以上の有機溶剤を２以上含有し、
前記２以上の有機溶剤のうち、少なくとも１つはＳＰ値が１７〜１８．２ＭＰａ１/２であるパターン形成方法。
【請求項２】
前記工程（ｃ）は、前記処理液を用いて前記露光された膜を現像する工程を含む請求項１に記載のパターン形成方法。
【請求項３】
前記工程（ｃ）は、前記露光された膜を現像する工程と、前記現像された膜をリンスする工程とを含み、前記現像する工程及び前記リンスする工程の少なくとも一方において、前記処理液が用いられる請求項１に記載のパターン形成方法。
【請求項４】
前記ＳＰ値が１７〜１８．２の有機溶剤としてエステル系溶剤を含む、請求項１から３のいずれか１項に記載のパターン形成方法。
【請求項５】
前記エステル系溶剤が、酢酸ブチル、酢酸アミル、酢酸イソアミル、酢酸２−メチルブチル、酢酸１−メチルブチル、酢酸ヘキシル、プロピオン酸ペンチル、プロピオン酸ヘキシル、プロピオン酸ヘプチル、イソブタン酸イソブチル、及びブタン酸ブチルから選ばれる少なくとも1種を含む溶剤である請求項４に記載のパターン形成方法。
【請求項６】
前記処理液が、前記露光された膜を現像するための現像液として用いられる、請求項５に記載のパターン形成方法。
【請求項７】
前記ＳＰ値が１７〜１８．２の有機溶剤としてケトン系溶剤を含む、請求項１から３のいずれか１項に記載のパターン形成方法。
【請求項８】
前記ケトン系溶剤が、メチルイソアミルケトン、メチルイソブチルケトン、ジイソブチルケトン及び２−ヘプタノンから選ばれる少なくとも1種を含む溶剤である請求項７に記載のパターン形成方法。
【請求項９】
前記ＳＰ値が１７〜１８．２の有機溶剤として酢酸２−メチルブチル、酢酸１−メチルブチル、及び酢酸イソアミルから選ばれる少なくとも1種を含む請求項１から３のいずれか１項に記載のパターン形成方法。
【請求項１０】
前記工程（ｃ）は、前記露光された膜を現像する工程と、前記現像された膜をリンスする工程とを含み、前記リンスする工程において、前記処理液が用いられる請求項９に記載のパターン形成方法。
【請求項１１】
前記ＳＰ値が１７〜１８．２以外の有機溶剤として、ＰＧＭＥ、γ-ＢＬ、ＮＭＰ、ＤＭＳＯ、及び酪酸エチルから選ばれる少なくとも１種を含む請求項１から３のいずれか１項に記載のパターン形成方法。
【請求項１２】
前記工程（ｃ）は、前記露光された膜を現像する工程と、前記現像された膜をリンスする工程とを含み、前記リンスする工程において、前記処理液が用いられる請求項１１に記載のパターン形成方法。
【請求項１３】
前記組成物は、酸の作用により分解して極性基を生じる基を備えた樹脂と、活性光線又は放射線の照射により酸を発生する化合物とを含む請求項１から１２のいずれか１項に記載のパターン形成方法。
【請求項１４】
前記工程（ｂ）は、ＫｒＦ又はＡｒＦエキシマレーザーを用いて行われる請求項１から１３のいずれか１項に記載のパターン形成方法。
【請求項１５】
前記工程（ｂ）はＥＵＶ光を用いて行われる請求項１から１３のいずれか１項に記載のパターン形成方法。
【請求項１６】
（ｄ）前記処理液を用いて処理された膜を加熱することを更に含んだ請求項１から１５のいずれか１項に記載のパターン形成方法。
【請求項１７】
沸点が３００℃以上の有機不純物を、前記処理液全質量に対して０．００１〜３０質量ｐｐｍ含む請求項１から１６のいずれか１項に記載のパターン形成方法。
【請求項１８】
前記処理液がＦｅ、Ｃｒ、Ｎｉ及びＰｂからなる群から選ばれる少なくとも１種の元素を含有し、前記各元素の含有量が、前記処理液全質量に対して０．００１〜１００質量ｐｐｔである請求項１から１７のいずれか１項に記載のパターン形成方法。
【請求項１９】
前記処理液が、Ｆｅ、Ｃｒ、Ｎｉ及びＰｂからなる群から選ばれる少なくとも１種の元素を含有し、前記元素の総量が前記処理液全質量に対して、０．００１〜１００質量ｐｐｔである請求項１から１８のいずれか１項に記載のパターン形成方法。
【請求項２０】
請求項１から１９のいずれか１項に記載のパターン形成方法に用いられる処理液であって、ＳＰ値１６．３ＭＰａ１/２以上の有機溶剤を２以上含有し、前記２以上の有機溶剤のうち、少なくとも１つはＳＰ値が１７〜１８．２ＭＰａ１/２である処理液。
【請求項２１】
露光された膜を現像するために用いられる請求項２０に記載の処理液。
【請求項２２】
現像された膜をリンスするために用いられる請求項２０に記載の処理液。
【請求項２３】
沸点が３００℃以上の有機不純物を前記処理液全質量に対して０．００１〜３０質量ｐｐｍ含む請求項２０から２２のいずれか１項に記載の処理液。
【請求項２４】
前記処理液がＦｅ、Ｃｒ、Ｎｉ及びＰｂからなる群から選ばれる少なくとも１種の元素を含有し、前記各元素の含有量が、前記処理液全質量に対して０．００１〜１００質量ｐｐｔである請求項２０から２３のいずれか１項に記載の処理液。
【請求項２５】
前記処理液がＦｅ、Ｃｒ、Ｎｉ及びＰｂからなる群から選ばれる少なくとも１種の元素を含有し、前記元素の総量が前記処理液全質量に対して、０．００１〜１００質量ｐｐｔである請求項２０から２４のいずれか１項に記載の処理液。
【請求項２６】
前記処理液が蒸留及び/又はろ過工程を経て生成される請求項２０から２５のいずれか１項に記載の処理液。
【手続補正書】
【提出日】令和1年8月6日(2019.8.6)
【手続補正１】
【補正対象書類名】特許請求の範囲
【補正対象項目名】全文
【補正方法】変更
【補正の内容】
【特許請求の範囲】
【請求項１】
制御対象から収集された運転データに基づいて運用性向上に寄与する第１の操作パラメータの候補を抽出する運転データ処理部と、
前記制御対象の設計データに基づいて運用性向上に寄与する第２の操作パラメータの候補を抽出する設計データ処理部と、
前記第１の操作パラメータの候補と前記第２の操作パラメータの候補のうち、前記運転データ処理部と前記設計データ処理部の両方で抽出された操作パラメータの候補を、操作すべき操作パラメータに選定する操作パラメータ選定部と、
を備える運転支援装置。
【請求項２】
前記運転データ処理部は、前記運転データに基づいて当該運転データのデータ項目と運用性を評価する指標との関係を表す特性関数を作成し、当該特性関数に基づいて前記第１の操作パラメータの候補を抽出する
請求項１に記載の運転支援装置。
【請求項３】
前記設計データ処理部は、前記運転データのデータ項目から予め定められたキーワードと一致するデータ項目を前記第２の操作パラメータの候補として抽出し、さらに抽出した前記第２の操作パラメータの候補の中から前記設計データとしての制御ロジック回路図から保護回路の上流側に位置する前記第２の操作パラメータの候補を抽出する
請求項１に記載の運転支援装置。
【請求項４】
前記運転データ処理部は、前記特性関数が類似する前記データ項目を同じグループに分類し、該当データ項目に対応する前記第１の操作パラメータの操作量を共通とする
請求項２に記載の運転支援装置。
【請求項５】
前記運転データ処理部は、前記特性関数の類似性と前記操作パラメータの数である操作次数の目標値とを考慮して、前記第１の操作パラメータの候補をグループに分類する
請求項４に記載の運転支援装置。
【請求項６】
前記運転データ処理部は、前記制御対象の運転条件と運転環境を考慮した運転パターン毎に前記運転データを分割し、前記運転パターン毎に前記第１の操作パラメータの候補を抽出する
請求項２に記載の運転支援装置。
【請求項７】
前記操作パラメータ選定部で選定された前記操作パラメータと、前記運用性を評価する指標との関係を模擬する統計モデルと、前記統計モデルを用いて運用性を向上させるための操作方法を学習する学習アルゴリズムと、前記学習アルゴリズムにおける学習結果に従って制御対象の操作量を決定する操作量算出部と、を備えた操作量決定部を、更に備え、
前記操作パラメータ選定部は、当該運転支援装置を前記制御対象に導入したときの導入効果を試算する
請求項１乃至６のいずれか一項に記載の運転支援装置。
【請求項８】
制御対象から収集された運転データに基づいて運用性向上に寄与する第１の操作パラメータの候補を抽出する手順と、
前記制御対象の設計データに基づいて運用性向上に寄与する第２の操作パラメータの候補を抽出する手順と、
前記第１の操作パラメータの候補と前記第２の操作パラメータの候補の両方に含まれる操作パラメータの候補を、操作すべき操作パラメータとして選定する手順を、
コンピューターに実行させるためのプログラム。
【手続補正２】
【補正対象書類名】明細書
【補正対象項目名】０００８
【補正方法】変更
【補正の内容】
【０００８】
本発明の一態様の運転支援装置は、制御対象から収集された運転データに基づいて運用性向上に寄与する第１の操作パラメータの候補を抽出する運転データ処理部と、制御対象の設計データに基づいて運用性向上に寄与する第２の操作パラメータの候補を抽出する設計データ処理部と、第１の操作パラメータの候補と第２の操作パラメータの候補のうち、運転データ処理部と設計データ処理部の両方で抽出された操作パラメータの候補を、操作すべき操作パラメータに決定する操作パラメータ選定部と、を備える。